【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
ａ．開口部を画定する上壁部と、
ｂ．前記上壁部から垂れ下がり、底部端部へと軸方向に延びる円筒形スナップ式筒部とを備える密閉器具であって、
ｃ．前記円筒形スナップ式筒部が、その前記底部端部に少なくとも１つの抵抗凹部を含み、
ｄ．前記円筒形スナップ式筒部が、その壁部に少なくとも１つのねじ部をさらに含み、
ｅ．前記円筒形スナップ式筒部が、前記抵抗凹部の対向する第１および第２の壁部を画定し、
ｆ．前記第１および第２の抵抗凹部の壁部が傾斜を有し、前記第１および第２の抵抗凹部の壁部のうちの一方の前記傾斜が、少なくとも一点において、前記第１および第２の凹部の側部のうちの他方の同じ軸方向の高さにある一点における前記傾斜よりも小さく、
ｇ．前記円筒形スナップ式筒部の前記底部端部が、前記円筒形スナップ式筒部のねじ部の位置を容器首部に対して下げるための案内凹部を含むように形成され、
前記密閉器具は、前記案内凹部が上向きの傾斜を有する第１の案内凹部の壁部と、下向きの傾斜を有する第２の案内凹部の壁部とを含むことにより、密閉器具を開ける回転方向において、前記第１の案内凹部の壁部により、前記円筒形スナップ式筒部の位置を、押付要素を有する前記容器首部に向かって軸方向に下げることができ、
前記第２の壁部が、前記容器に対して上昇する前記密閉器具の円筒形スナップ式筒部と一致し、
前記押付要素が前記小さい傾斜の抵抗凹部の壁部に接触するとき、少なくとも前記押付要素が前記第２の案内凹部の壁部の下の位置に到達するまで、前記ねじ部が、前記密閉器具が取り付けられているボトル首部のねじ部に対するその軸方向の位置を維持するように構成される、密閉器具。
【請求項２】
前記開口部を閉じる密閉カバーをさらに含み、
前記密閉カバーが前記密閉器具の密閉器具基部にヒンジにより装着される、請求項１に記載の密閉器具。
【請求項３】
前記密閉器具のねじを緩める回転方向において、前記押付要素が、前記抵抗凹部に出会った後で、前記第１の案内凹部の壁部と出会い、その後、前記第２の案内凹部の壁部と出会う、請求項１または２に記載の密閉器具。
【請求項４】
前記押付要素が前記第１の案内凹部の壁部の下の位置に到達するとき、前記円筒形スナップ式筒部のねじ部と前記容器のねじ部が、前記スナップ式筒部のねじ部の上方に前記容器のねじ部があるという、それらの相対的な軸方向の位置を維持する、請求項１〜３のいずれか一項に記載の密閉器具。
【請求項５】
前記第２の抵抗凹部の壁部が、前記より小さい傾斜を含み、
前記第２の抵抗凹部の壁部の前記より小さい傾斜が、前記容器の前記押付要素の側壁部の傾斜のプラスマイナス１０度の範囲であり、
前記容器の前記押付要素の前記側壁部が、前記密閉器具のねじを緩める間に、前記第２の抵抗凹部の壁部と対面し、
前記第２の抵抗壁部の前記より小さい傾斜と、前記第２の抵抗壁部に対面する前記押付要素の前記側壁部が、３０〜８５度の間の傾斜を有する、請求項１〜４のいずれか一項に記載の密閉器具。
【請求項６】
ねじを緩める方向における前記抵抗凹部と前記案内凹部との間の距離が、少なくとも２ｍｍである、請求項１〜５のいずれか一項に記載の密閉器具。
【請求項７】
ねじを緩める方向における前記抵抗凹部と前記案内凹部との間の距離が、２ｍｍから５ｍｍまでである、請求項６に記載の密閉器具。
【請求項８】
ねじを緩める方向における前記抵抗凹部と前記案内凹部との間の距離が、２ｍｍから４ｍｍまでである、請求項７に記載の密閉器具。
【請求項９】
前記第１の案内凹部の壁部が、９０〜１３５度の傾斜を有する、請求項１〜８のいずれか一項に記載の密閉器具。
【請求項１０】
前記第２の案内凹部の壁部が、０〜１０度の傾斜を有する、請求項１〜９のいずれか一項に記載の密閉器具。
【請求項１１】
組み合わせた密閉器具とボトルを具備する容器であって、
密閉器具と、ボトル首部および少なくとも１つの押付要素を有するボトルとを含み、
Ｉ．前記密閉器具が、
ａ）開口部を画定する上壁部と、
ｂ）前記上壁部から垂れ下がり、底部端部へと軸方向に延びる円筒形スナップ式筒部とを備え、
ｃ）前記円筒形スナップ式筒部が、その内部に前記底部端部へと延びる少なくとも１つの抵抗凹部を含み、
ｄ）前記円筒形スナップ式筒部が、その壁部に１つ以上のねじ部をさらに含み、
ｅ）前記円筒形スナップ式筒部が、前記抵抗凹部の対向する第１および第２の壁部を画定し、
ｆ）前記第１および第２の抵抗凹部の壁部が傾斜を有し、前記第１および第２の側部のうちの一方の前記傾斜が、少なくとも一点において、前記第１および第２の凹部側部のうちの他方の同じ軸方向の高さにある一点における前記傾斜よりも小さく、
ｇ）前記円筒形スナップ式筒部の前記底部端部が、前記円筒形スナップ式筒部のねじ部の位置を前記ボトル首部に対して上げ下げするための案内凹部を含むように形成され、
ＩＩ．前記ボトル首部がねじ部を有し、
前記少なくとも１つのボトルの押付要素が前記密閉器具の円筒形スナップ式筒部の前記抵抗凹部内に少なくとも部分的に受け入れられるように適合され、
前記案内凹部が上向きの傾斜を有する第１の壁部と、下向きの傾斜を有する第２の壁部とを含むことにより、密閉器具を開ける回転方向において、前記第１の案内凹部の壁部により、前記円筒形スナップ式筒部の位置を前記押付要素に向かって軸方向に下げることができ、
前記第２の案内凹部の壁部が、前記押付要素に対して上昇する前記密閉器具の円筒形スナップ式筒部と一致し、
前記押付要素が前記小さい傾斜の抵抗凹部の壁部に接触するとき、少なくとも前記押付要素が前記第２の案内凹部の壁部の下の位置に到達するまで、前記スナップ式筒部のねじ部と前記ボトル首部のねじ部が、前記スナップ式筒部のねじ部の上方に前記ボトル首部のねじ部があるというそれらの相対的な軸方向の位置を維持する、容器。
【請求項１２】
前記押付要素が前記第２の案内凹部の壁部の下の位置に到達した後に、前記円筒形スナップ式筒部のねじ部が、軸方向の力を加えられることにより、前記ボトルのねじ部の上を軸方向に通過する、請求項１１に記載の容器。
【請求項１３】
前記第２の抵抗凹部の壁部が前記より小さい傾斜を含み、
前記第２の抵抗凹部の壁部の前記より小さい傾斜が、前記容器の前記押付要素の側壁部の傾斜のプラスマイナス１０度の範囲であり、
前記容器の前記押付要素の前記側壁部が、前記密閉器具のねじを緩める間に、前記第２の抵抗凹部の壁部と対面し、
前記第２の抵抗壁部の前記より小さい傾斜と、前記第２の抵抗壁部に対面する前記押付要素の前記側壁部が、３０〜８５度の間の傾斜を有する、請求項１１または１２に記載の容器。
【請求項１４】
ａ．開口部を画定する上壁部と、
ｂ．前記上壁部から垂れ下がり、底部端部へと軸方向に延びる円筒形スナップ式筒部とを備える密閉器具であって、
ｃ．前記円筒形スナップ式筒部が、その前記底部端部に少なくとも１つの抵抗凹部を含み、
ｄ．前記円筒形スナップ式筒部が、その壁部に少なくとも１つのねじ部をさらに含み、
ｅ．前記円筒形スナップ式筒部が、前記抵抗凹部の対向する前側の第１の壁部と後ろ側の第２の壁部とを画定し、
ｆ．前記円筒形スナップ式筒部の前記底部端部が、前記円筒形スナップ式筒部のねじ部の位置を容器首部に対して下げるための案内凹部を含むように形成され、
前記密閉器具は、前記案内凹部が上向きの傾斜を有する第１の案内凹部の壁部と、下向きの傾斜を有する第２の案内凹部の壁部とを含むことにより、密閉器具を開ける回転方向において、前記第１の案内凹部の壁部により、前記円筒形スナップ式筒部の位置を、押付要素を有する前記容器首部に向かって軸方向に下げることができ、
前記第２の壁部が、前記容器に対して上昇する前記密閉器具の円筒形スナップ式筒部と一致し、
前記押付要素が前記後ろ側の抵抗凹部の壁部に接触するとき、少なくとも前記押付要素が前記第２の案内凹部の壁部の下の位置に到達するまで、前記ねじ部が、前記密閉器具が取り付けられているボトル首部のねじ部に対するその軸方向の位置を維持するように構成される、密閉器具。
【請求項１５】
組み合わせた密閉器具とボトルを具備する容器であって、
密閉器具と、ボトル首部および少なくとも１つの押付要素を有するボトルとを含み、
Ｉ．前記密閉器具が、
ａ）開口部を画定する上壁部と、
ｂ）前記上壁部から垂れ下がり、底部端部へと軸方向に延びる円筒形スナップ式筒部とを備え、
ｃ）前記円筒形スナップ式筒部が、その内部に前記底部端部へと延びる少なくとも１つの抵抗凹部を含み、
ｄ）前記円筒形スナップ式筒部が、その壁部に１つ以上のねじ部をさらに含み、
ｅ）前記円筒形スナップ式筒部が、前記抵抗凹部の対向する前側の第１の壁部と後ろ側の第２の壁部とを画定し、
ｆ）前記円筒形スナップ式筒部の前記底部端部が、前記円筒形スナップ式筒部のねじ部の位置を前記ボトル首部に対して上げ下げするための案内凹部を含むように形成され、
ＩＩ．前記ボトル首部がねじ部を有し、
前記少なくとも１つのボトルの押付要素が前記密閉器具の円筒形スナップ式筒部の前記抵抗凹部内に少なくとも部分的に受け入れられるように適合され、
前記案内凹部が上向きの傾斜を有する第１の壁部と、下向きの傾斜を有する第２の壁部とを含むことにより、密閉器具を開ける回転方向において、前記第１の案内凹部の壁部により、前記円筒形スナップ式筒部の位置を前記押付要素に向かって軸方向に下げることができ、
前記第２の案内凹部の壁部が、前記押付要素に対して上昇する前記密閉器具の円筒形スナップ式筒部と一致し、
前記押付要素が前記後ろ側の抵抗凹部の壁部に接触するとき、少なくとも前記押付要素が前記第２の案内凹部の壁部の下の位置に到達するまで、前記スナップ式筒部のねじ部と前記ボトル首部のねじ部が、前記スナップ式筒部のねじ部の上方に前記ボトル首部のねじ部があるというそれらの相対的な軸方向の位置を維持する、容器。
【請求項１６】
首部の雄ねじ部および／またはスナップ式筒部の雌ねじ部が途切れることにより、当該密閉器具の取り外しが容易になることを更に含む、請求項１に記載の密閉器具。
【請求項１７】
首部の雄ねじ部および／またはスナップ式筒部の雌ねじ部が途切れることにより、当該密閉器具の取り外しが容易になることを更に含む、請求項１１に記載の容器。